(57)【要約】【課題】コンクリートの打設時に円形の穴の形成を容易にすることができるとともに、製造コストを抑えたローコストの円筒形型枠Ａを提供すること。【解決手段】コンクリートを打設する際に用いられる型枠であって、主型枠体１と、該主型枠体１の少なくとも周面を覆うカバー部材２とを有する、以下の要件を備えることを特徴とする円筒形用型枠。（イ）上記主型枠体１は有底筒状で、周面には螺旋状に突起３が設けてあること（ロ）上記カバー部材２は内部に空気が封入された２重構造の合成樹脂のシート７で構成され、上記主型枠体１を挿入できる太さの筒状に形成されていること（ハ）上記主型枠体１の周面に形成された突起３の高さは、上記シート７の厚みよりも低く設定されていること【選択図】　　　　図１
2004011271.tif 000002
【特許請求の範囲】
【請求項１】
コンクリートを打設する際に用いられる型枠であって、主型枠体と、該主型枠体の少なくとも周面を覆うカバー部材とを有する、以下の要件を備えることを特徴とする円筒形用型枠。
（イ）上記主型枠体は有底筒状で、周面には螺旋状に突起が設けてあること
（ロ）上記カバー部材は内部に空気が封入された２重構造の合成樹脂のシートで構成され、上記主型枠体を挿入できる太さの筒状に形成されていること
（ハ）上記主型枠体の周面に形成された突起の高さは、上記シートの厚みよりも低く設定されていること
【請求項２】
前記突起を帯状のテープ上に形成し、該テープを前記主型枠体の周面に螺旋状に巻き付け固定した、請求項１記載の円筒形型枠。
【発明の詳細な説明】
【０００１】
【発明の属する技術分野】
本発明は、円筒形型枠、詳しくはコンクリートを打設する際に円柱状の穴を形成するために用いる円筒形型枠に関する。
【０００２】
【従来の技術】
従来、基礎と土台や橋の橋台と床板とを止めるためにコンクリートの打設前にあらかじめアンカーボルトを土台や橋台に設置し、後からコンクリートを流してアンカーボルトをコンクリートに固定させている。
【０００３】
【発明が解決しようとする課題】
しかしながら、流すコンクリートの流速圧力と、流した後の空気泡抜きの為のバイブレーションによる振動などでアンカーボルトの取り付け位置がずれる恐れがあり、そのまま硬化させてしまうと、アンカーボルトの先端と土台や橋台の上に固定される構造物の穴の位置とが合わなくなり、アンカーの上部をハンマーで叩いてアンカーを修正する台直しという作業をしなければならなかった。そのためアンカーボルトはくの字状に折り曲げられた状態で土台や橋台に固定されたことになる。アンカーボルトは土台や橋台に垂直な状態で固定されていなければ地震などで左右上下の外力が加わったとき、アンカーの周りのコンクリートは破損しアンカーボルトの保持力が著しく損なわれ構造物の崩壊などを誘発する恐れがあった。
【０００４】
本発明は上記問題点を解消し、コンクリートの打設時に円形の穴の形成を容易にすることができるとともに、製造コストを抑えたローコストの円筒形型枠を提供することをその課題とする。
【０００５】
【課題を解決するための手段】
前記課題を解決するため、本発明に係る円筒形型枠は、コンクリートを打設する際に用いられる型枠であって、主型枠体と、該主型枠体の少なくとも周面を覆うカバー部材とを有する、以下の要件を備えることを特徴とする。
（イ）上記主型枠体は有底筒状で、周面には螺旋状に突起が設けてあること
（ロ）上記カバー部材は内部に空気が封入された２重構造の合成樹脂のシートで構成され、上記主型枠体を挿入できる太さの筒状に形成されていること
（ハ）上記主型枠体の周面に形成された突起の高さは、上記シートの厚みよりも低く設定されていること
【０００６】
なお、前記突起を帯状のテープ上に形成し、該テープを前記主型枠体の周面に螺旋状に巻き付け固定しても構わない。
【０００７】
【発明の実施の形態】
図１は、本発明に係る円筒形型枠の構成を説明する斜視図を示し、この円筒形型枠Ａは有底筒状の主型枠体１と、カバー部材２とから主に構成されるものである。
【０００８】
主型枠体１は金属又は合成樹脂で有底筒状に形成され、周面には螺旋状に突起３が形成され、上部には径方向に操作棒４を挿通させるための穴５が少なくとも２つ形成されている。上記突起３は主型枠体１の表面に直接突出形成されていてもよいが、図２に示すように、突起３’が形成されたテープ６を主型枠体１の周面に螺旋状に貼着してもよい。なお、この突起３の高さは後述するシート７の厚みよりも低く設定されていればよい。
【０００９】
カバー部材２は、内部に空気が封入された２重構造の合成樹脂のシート７で上記主型枠体１を挿入できる程度の筒状、又は有底筒状に形成されていればよい。このシート７は、表面に凸部７ａが形成され、凸部７ａの内部に空気を封入した合成樹脂のシート７、例えばエアキャップ（登録商標）などの気泡入り合成樹脂製包装用緩衝材を用いればよい。上記エアキャップからなるシート７でカバー部材２を形成する場合は、凸部７ａが内周面側に突出するように形成すればよい。
【００１０】
次に、上記円筒形型枠Ａの使用態様について説明する。先ず、図３（ａ）に示すように、主型枠体１にカバー部材２を被せて主型枠体１の周面と底面とがカバー部材２で覆われた状態にする。
【００１１】
次に、カバー部材２の外側に周面にフック部１０が突出形成された金属製の固定ベルト１１を巻きつける。この固定ベルト１１は、針金１２でカバー部材２（主型枠体１）に固定すればよいが、この固定方法は、図３（ｂ）に示すように、固定ベルト１１全周を針金１２で巻いて固定してもよいし、図３（ｃ）に示すように、両端部のフック部１０同士を針金１２で連結してもよい。
【００１２】
主型枠体１がカバー部材２で覆われ、カバー部材２の外側に固定ベルト１１が取り付けられた状態の円筒形型枠Ａは、図４（ａ）に示すように、コンクリートを打設する前に鉄筋１５に固定する。円筒形型枠Ａの設置位置が決定したら固定ベルト１１のフック部１０と鉄筋１５とを針金１２で結んで確実に固定すればよい。
【００１３】
円筒形型枠Ａを鉄筋１５に固定した後、コンクリートを流し込む（図４（ｂ）参照）。コンクリートが硬化したならば、主型枠体１の上部に形成された穴５に、操作棒４を挿通し、図４（ｃ）に示すように、主型枠体１を一方向に連続して回転させればよい。
【００１４】
主型枠体１の周面には突起３が螺旋状に設けてあるので、この突起３によりカバー部材２の内周面は破られて内部の空気が全て放出され、主型枠体１の外周面とコンクリートａの穴１６の内周面との間には空間ができることになる。この状態で、図４（ｄ）に示すように、操作棒４を持って主型枠体１をコンクリートの中から引き抜けばよい。上述したように主型枠体１の外周面とコンクリートａの穴１６の内周面との間にはシート７の厚み分の空間ができているので主型枠体１を容易に引き抜くことができる。主型枠体１を引き抜いた後は、図４（ｅ）に示すように、残ったカバー部材２を引きずり出せば、打設したコンクリートａに図示しないアンカーボルトなどを設置する仮穴１６を形成することができる。
【００１５】
上述のように、筒体の周面に螺旋状に突起３を設けた主型枠体１の少なくとも周面を内部に空気を封入した２重構造のカバー部材２で覆い、カバー部材２で覆われた状態の主型枠体１を鉄筋１５に固定し、コンクリートが硬化した後に主型枠体１を回してカバー部材２の内周面を破砕することによりコンクリートと主型枠体１との間に空間を形成することができるので主型枠体１を容易に引き抜くことができる。
【００１６】
上記主型枠体１はコンクリート打設後に引き抜いて再使用することができ、消耗品であるカバー部材２は市販のシート７を用いることが可能になり、一旦製造した主型枠体１は破損するまで繰り返し使用し、市販のシート７も大量購入すれば安価に入手することが可能になり、全体として低コストの円筒形型枠Ａを実現することができる。
【００１７】
また、主型枠体１の周面に設ける突起３をテープ６上に形成し、このテープ６を主型枠体１の周面に螺旋状に巻き付けて接着剤で貼着すれば、主型枠体１は配管用の塩ビのパイプを用いることが可能になり、主型枠体１の太さや長さは任意に設定することができるとともに市場に流通しているパイプを用いることが可能になり、更に低コストの円筒形型枠Ａを実現することができる。
【００１８】
なお、上記円筒形型枠を用いて形成する穴は、アンカーボルトを設置するための仮穴等、コンクリートに垂直方向に形成される縦穴に限定されるものではなく、建築物の配管や電線を挿通させる横穴を形成するときにも用いることができ、使用目的は様々な用途が可能である。また、一般に市場に流通している部材を利用して円筒形型枠を構築することができるので、その長さや太さは自由に設定することが可能になり、コンクリート打設時に必要とされる全ての種類の穴に対応することができ、汎用性のある円筒形型枠を実現することができる。
【００１９】
【発明の効果】
請求項１の発明によれば、主型枠体はコンクリート打設後に引き抜いて再使用することができ、消耗品であるカバー部材は市販のシートを用いることが可能になり、一旦製造した主型枠体は破損するまで繰り返し使用し、市販のシートも大量購入すれば安価に入手することが可能になり、全体として低コストの円筒形型枠を提供することができる。
【００２０】
請求項２の発明によれば、突起をテープ上に形成し、このテープを主型枠体の周面に螺旋状に巻き付けて接着剤等で貼着すれば、主型枠体は配管用の塩ビのパイプを用いることが可能になり、主型枠体の太さや長さは任意に設定することができるとともに市場に流通しているパイプを用いることが可能になり、更に低コストの円筒形型枠を実現することができる。
【図面の簡単な説明】
【図１】本発明に係る円筒形型枠の構成を説明する斜視図
【図２】上記円筒形型枠の他の例を説明する斜視図
【図３】（ａ）〜（ｃ）は円筒形型枠を組み立てる状態を説明する斜視図
【図４】（ａ）〜（ｅ）は上記円筒形型枠の使用態様を説明する斜視図
【符号の説明】
１　主型枠体
２　カバー部材
３　突起
４　操作棒
５　穴
７　シート
【図１】
2004011271.tif 000003
【図２】
2004011271.tif 000004
【図３】
2004011271.tif 000005
【図４】
2004011271.tif 000006